(57)【要約】【課題】  封緘対象物に貼り付けた後、剥がした際に開封の痕跡を残すことの可能な封緘シールを提供する。【解決手段】  シート状の基材１２の裏面に、封緘対象物に貼り付けるための粘着剤層１３を設け、表面の少なくとも一部領域に接着力抑制層１５を設けると共にその上に印字、印刷等によって記録層１６を形成して封緘シール１１を構成する。この封緘シール１１を封緘対象物に貼り付けておくと、誰かが剥がした際に、封緘シール１１に生じる屈曲によって、接着力抑制層１５に弱い接着力で接着している記録層１６が剥離、脱落するので、再度剥がした封緘シールを貼り付けても、開封の痕跡が残る。【選択図】  図１
2005148325.tif 000002
【特許請求の範囲】
【請求項１】
シート状の基材の裏面に、封緘対象物に貼り付けるための接着構造を有し、表面の少なくとも一部領域に接着力抑制層とその上に形成された記録層を有する封緘シールであって、封緘対象物に貼り付けた封緘シールを剥がす際にその封緘シールに生じる屈曲によって前記記録層の少なくとも一部が剥離する構成としたことを特徴とする封緘シール。
【請求項２】
更に、前記接着力抑制層の上の記録層を覆うように透明フィルムカバーを設けたことを特徴とする請求項１記載の封緘シール。
【請求項３】
前記接着力抑制層をパターン状に設け、前記記録層を、前記パターン状の接着力抑制層を隠蔽するように、その接着力抑制層を含む広い領域に形成したことを特徴とする請求項１又は２記載の封緘シール。
【請求項４】
前記基材の表面に、接着力抑制層を形成しない領域を残し、その領域の基材表面に記録層を形成したことを特徴とする請求項１から３のいずれか１項記載の封緘シール。
【請求項５】
シート状の基材の裏面に、封緘対象物に貼り付けるための接着構造を有し、表面の少なくとも一部領域に、記録層を形成するための印字材料又は印刷材料に対する接着力を抑制する接着力抑制層を設けたことを特徴とする封緘シール用材料。
【発明の詳細な説明】
【技術分野】
【０００１】
本発明は、一旦封緘した袋や箱が第三者によって無断で開けられないように牽制するため、或いは開けられてしまった場合にはその痕跡を残すために用いる封緘シールに関する。
【背景技術】
【０００２】
従来、封緘シールは、シート状の基材の裏面に封緘対象物に貼り付けるための粘着剤層を設け、且つその基材と粘着剤層の間に開封の痕跡を残すための細工を施したものが一般的である。図７（ａ）、（ｂ）は従来の代表的な封緘シール１を示すものであり、この封緘シート１は、シート状の基材２の裏面に、剥離層３をパターン状（例えば、「ＶＯＩＤ」という文字状）に設け、その上に転写層（アルミ蒸着層など）４を介して粘着剤層５を設け、その上に剥離シート６を仮接着した構造となっている。この封緘シール１は、剥離シート６を剥がして、図８（ａ）に示すように、封緘対象物８に貼り付けることができ、封緘対象物８に貼り付けた状態では、その封緘シール１を表面から見ると単なる銀色（アルミ蒸着層の色）となっている。しかし、この封緘シール１を剥がすと、図８（ｂ）に示すように、パターン状の剥離層３と接していた領域の転写層４と粘着剤層５が封緘対象物８に接着したまま残り、このため、図８（ｃ）に示すように、封緘対象物８の表面に、残った転写層４によるパターン（例えば、「ＶＯＩＤ」という文字）が目視可能な状態となって、開封した痕跡が残る。また、再度、剥がした封緘シール１を貼り付けても、元通りにきれいに貼り付けることはできず、やはり開封の痕跡が残る。また、図７に示す封緘シールとは積層構造を変えたものも知られているが、いずれも封緘シールに設けている転写層の一部を封緘対象物に接着させた状態で残すことで開封の痕跡を残す構成となっている。
【特許文献１】特開昭６１−２２６７８３号公報
【０００３】
このような封緘シールは、お菓子の開封部に貼られたり、パソコンソフトのパッケージに貼られており、前者では悪意あるいたずらや犯罪を防止するため、後者はパソコンソフトにおける契約条件について許諾意志の確認用として使用されている。いずれにせよ開封履歴を残すことが目的である。剥離層３に形成するパターンは文字に限らずエンドレス柄で設ける場合もあり、エンドレス柄を用いた場合には、ハーフカット等により区画するだけで自由なサイズの封緘シールを得ることができる。
【０００４】
一方、昨今の航空テロ事件等を防止するために、搭乗者の荷物に対するインスペクションが厳しくなっている。機内持ち込みを問わず、厳重なチェックを行っているものの、チェックを行った後で荷物の中に不審物を入れたりする可能性があるため、状況によっては全数について再度検査を行わなければならず、多大な手間と時間がかかっていた。そこで、前述したような封緘シールを使って、検査済の荷物を的確に識別できるようにし、再チェックする場合でも不審な荷物だけにする方法が検討され始めている。しかしながら、荷物に現行の封緘シールを使用する場合、重大な問題がある。それは、図８（ｂ）、（ｃ）に示したように、転写層４と粘着剤層５がパターン（例えば、「ＶＯＩＤ」という文字）状に荷物に残るということである。その荷物を１回しか使用しないで廃棄してしまうのであれば、転写層や粘着剤層が残っても何ら問題とならないが、例えばスーツケースのような場合、搭乗のたびに何度も使用するため、（１）いつ検査を受けたものか分からない、（２）そもそも搭乗者の持ち物を汚損してしまう、といった重大な問題がある。
【発明の開示】
【発明が解決しようとする課題】
【０００５】
本発明はかかる状況に鑑みてなされたもので、スーツケース等の封緘対象物に貼り付けた後、剥がした際に、粘着剤や転写層が封緘対象物に付着したまま残るということがないにも係わらず、開封の痕跡を残すことの可能な封緘シールを提供することを課題とする。
【課題を解決するための手段】
【０００６】
本願請求項１に係る発明は、前記課題を解決するため、シート状の基材の裏面に、封緘対象物に貼り付けるための接着構造を設け、表面の少なくとも一部領域に接着力抑制層を設けると共にその上に印字、印刷等による記録層を形成して封緘シールを構成し、封緘対象物に貼り付けた封緘シールを剥がす際にその封緘シールに生じる屈曲によって前記記録層の少なくとも一部が剥離する構成としたものである。
【０００７】
請求項２に係る発明は、前記した封緘シールにおいて更に、前記接着力抑制層の上の記録層を覆うように透明フィルムカバーを設ける構成としたものである。
【０００８】
請求項３に係る発明は、前記した封緘シールにおいて、前記接着力抑制層をパターン状に設け、前記記録層を、前記パターン状の接着力抑制層を隠蔽するように、その接着力抑制層を含む広い領域に形成する構成としたものである。
【０００９】
請求項４に係る発明は、前記した封緘シールにおいて、前記基材の表面に、接着力抑制層を形成しない領域を残し、その李言う域の基材表面に記録層を形成する構成としたものである。
【００１０】
請求項５に係る発明は、前記した封緘シールを作るための封緘シール用材料であり、シート状の基材の裏面に、封緘対象物に貼り付けるための接着構造を有し、表面の少なくとも一部領域に、記録層を形成するための印字材料、印刷材料等に対する接着力を抑制する接着力抑制層を設けたことを特徴とするものである。
【発明の効果】
【００１１】
上記構成の封緘シールは、スーツケース等の封緘対象物に貼り付けておくと、これを誰かが剥がして再度貼り付けたとしても、封緘対象物から剥がす際に封緘シールに生じる屈曲によって表面の記録層の少なくとも一部が剥離して脱落し、このため、封緘シールの表面を見ることで開封の有無を容易に判断することができる。また、使用後は封緘対象物から剥がせば、封緘対象物に接着したまま残る部材が無いため、封緘対象物を汚損することもない。
【００１２】
ここで、前記接着力抑制層の上の記録層を覆うように透明フィルムカバーを設けておくと、封緘シールの表面が何かで擦られても記録層が透明フィルムカバーで保護され、記録層の文字や絵柄などが削り取られるということがなく、このため、封緘シールやそれを貼り付けた剥離対象物を乱暴に取り扱う恐れのある場所でも支障なく使用できる。
【００１３】
また、前記接着力抑制層をパターン状に設け、前記記録層を、前記パターン状の接着力抑制層を隠蔽するように、その接着力抑制層を含む広い領域に形成する構成としておくと、封緘シールを剥がした時に、パターン状の接着力抑制層の上の記録層のみが剥離、脱落し、そのパターンが浮きでるようになるので、やはり開封の痕跡が残り、開封の有無を容易に判断できる。
【００１４】
また、前記基材の表面に、接着力抑制層を形成しない領域を残し、その領域の基材表面に記録層を形成する構成としておくと、その記録層は基材表面に強固に接着しているため脱落することがなく、封緘シールに重要情報を記録しておくことができる。
【００１５】
請求項５に係る発明の封緘シール用材料は、基材表面の接着力抑制層を設けた領域に印字又は印刷することで、上記した構成の封緘シールとすることができる。
【発明を実施するための最良の形態】
【００１６】
以下、図面を参照して本発明を更に詳細に説明する。図１（ａ）、（ｂ）は本発明の基本的な実施形態に係る封緘シール１１の概略平面図及び概略断面図である。封緘シール１１は、シート状の基材１２の裏面に、封緘対象物に対して剥離可能な形態で貼り付けるための接着構造、例えば粘着剤層１３とそれを保護するための剥離シート１４を有し、基材１２の表面の少なくとも一部領域に接着力抑制層１５とその上に印字、印刷等によって形成された記録層１６を有する構造とし、且つ、封緘対象物に貼り付けた封緘シール１１を剥がす際にその封緘シールに生じる屈曲によって記録層１６の少なくとも一部が剥離、脱落する構成としたものである。ここで、封緘シール１１に生じる屈曲によって記録層１６が剥離する原理を簡単に説明する。図２（ａ）に示すように、封緘シール１１を封緘対象物２０に貼り付けた状態から矢印Ａ方向に引張って剥がして行く際、封緘シール１１は屈曲しながら剥がれてゆく。この屈曲した領域では表面に形成している記録層１６も屈曲することとなるが、屈曲が大きいと（曲率半径が小さいと）記録層１６を形成している材料（トナー、インキ等）が封緘シール１１の基材１２の屈曲に追従しきれず、部分的に破壊された状態となり、そのため、図２（ｂ）に示すように、剥がした封緘シール１１がほぼ平坦に戻った時に記録層１６を形成する材料１６ａが部分的に浮き上がったようになって剥離し、脱落する。これによって開封の痕跡が残ることとなる。
【００１７】
このようにして生じる記録層１６の剥離は、記録層１６の基材１２に対する接着力が弱いほど大きくなるので、本発明では、基材１２の表面に接着力抑制層１５を形成し、その上に記録層１６を形成することで、記録層１６の基材１２に対する接着力を小さくしている。ところで、この接着力はあまり小さくすると、記録層１６の上を単に擦ることによって記録層１６が脱落する恐れが生じるので、あまり小さくはできない。一方、封緘シールを剥がす際の屈曲によって生じる記録層１６の剥離は、基材１２の屈曲が大きくなるほど（曲率半径が小さくなるほど）確実に生じるので、記録層１６の基材１２に対する接着力を或る程度大きくしても、封緘シールの屈曲を大きくすれば記録層１６の剥離を生じさせることができる。従って、接着力抑制層１５による記録層１６の接着力抑制効果を適度に抑えて記録層１６の基材１２に対する接着力を或る程度以上に、例えば、封緘シールを貼るためにその表面を擦るとか、封緘シールを貼った封緘対象物の取り扱い時に封緘シールの表面に物が当たって擦ることがあっても記録層１６が剥離、脱落しない程度の接着力以上にし、且つ封緘シールを剥がす時に生じる屈曲が或る程度以上に大きくなるように設定することで、封緘シールから記録層１６の不都合な脱落を防止しながら、剥がした際には記録層１６を剥離、脱落させて開封の痕跡を残すことができる。ところで、封緘シール１１を剥がす時に生じる屈曲の大きさは、封緘シール１１の封緘対象物に対する接着強度及び基材１２のこわさ（剛度）などによって定まる。すなわち、図３（ａ）に示すように、封緘対象物２０に貼り付けた封緘シール１１を封緘対象物に対して一定の角度θ（剥離角度という）だけ傾斜した矢印Ａ方向に引張って剥がす際、封緘シール１１に対する接着強度が大きく且つ封緘シール１１のこわさ（剛度）が小さい場合には、屈曲部の曲率半径ｒが小さくなり（すなわち、屈曲が大きくなり）、反対に封緘シール１１に対する接着強度が小さく且つ封緘シール１１のこわさ（剛度）が大きい場合には、図３（ｂ）に示すように、屈曲部の曲率半径ｒが大きくなる（すなわち、屈曲が大きくなる）。従って、封緘シール１１の作製に当たっては、上記したように、記録層１６の不都合な脱落を防止しながら、剥がした際には記録層１６を剥離、脱落させることができるような特性となるように、記録層１６の基材１２に対する接着力、封緘シールの封緘対象物に対する接着強度、基材１２のこわさ（剛度）などの特性を設定すればよい。
【００１８】
本発明者らが確認したところ、封緘対象物２０に貼り付けた封緘シール１１を剥離角度θ＝９０°で剥がすとした場合の屈曲部の曲率半径ｒが５ｍｍ程度より大きい場合には記録層１６の剥離はほとんど発生しないが、それ以下となると剥離が多くなるように記録層１６の接着力を設定しておくことで、良好な結果が得られた。従って、封緘シール１１の各部の特性の選定に当たっては、これを一つの目安とすればよい。
【００１９】
封緘シール１１の基材１２としては、紙、合成紙、樹脂シート等のシート状のものを適宜用いることができる。また、基材１２の一部領域に、脱落しないように印字、印刷等による記録層を形成することが望まれる場合には、印字トナーやインキに対する接着性の良い材料、例えば紙を用いることが好ましい。基材１２として紙を用いる場合には、剥がす時の屈曲部の曲率半径ｒが小さくなるように、１５０μｍ以下とすることが好ましい。基材１２の裏面に設ける接着構造、例えば粘着剤層１３は、封緘シール１１を貼り付ける対象となる封緘対象物に対する接着強度が適度に大きく、剥がす際の曲率半径ｒが上記した条件となるように設定する。なお、基材１２の裏面に設ける接着構造の接着強度は、貼り付ける対象の物性、表面状態等によって異なるので、厳密には、封緘対象物に応じてそれぞれ適した使用範囲が存在するが、本発明者らが確認したところ、「ＪＩＳ−Ｚ０２３７：２０００」にある粘着力測定方法のうち、「９０°剥離法」によって測定した粘着力が、１．２Ｎ／１０ｍｍ以上となるようにすると、多くの封緘対象物に適用できた。従って、これを一つの目安として接着強度を定めれば良い。
【００２０】
基材１２の表面に形成する接着力抑制層１５は、上記したように基材１２に対する記録層１６の接着力を抑制するために設けるものであり、記録層１６を形成する材料（印字トナー、インキ等）に対して接着力の小さい樹脂材料を印刷、コーティング、ラミネート等によって基材１２表面に適用することで形成できる。更に具体的には、接着力抑制層１５を形成する材料として、ＵＶ硬化性のアクリル樹脂等の、印字トナーやインキリボン等が接着しずらいＵＶ硬化性樹脂を挙げることができ、必要に応じ、その中にシリコーンに代表される離型（剥離）成分を入れてもよい。封緘シール１１に対して各種プリンタにて可変情報を印字することによって記録層１６を形成する場合には、ＵＶ硬化性樹脂のみによって接着力抑制層１５を形成することで、印字トナー等に対する必要な接着力抑制効果を得ることができる。接着力抑制層１５を形成する領域は、基材１２の全面としてもよいし、部分的な領域としてもよい。また、接着力抑制層１５は、それを形成する領域全体にベタ状に形成してもよいし、文字等のパターン状に形成してもよい。
【００２１】
接着力抑制層１５上の記録層１６は、各種プリンタによって形成してもよいし、各種印刷機による印刷によって形成してもよいが、特に、プリンタによって可変情報を印字することが好ましい。プリンタによって可変情報を印字する構成とすると、単に開封の痕跡を残すのみならず、可変情報を記録することが可能となる。また、プリンタとしてトナー融着方式のものを用いると、ＵＶ硬化性のアクリル樹脂のみによって形成した接着力抑制層１５にトナーを適度に脱落しやすい形態で印字することができ、換言すれば、低コストで形成できる接着力抑制層１５を備えた封緘シール１１を用いることができるという利点が得られる。
【００２２】
次に、上記構成の封緘シール１１の使用方法の１例を説明する。工場において、基材１２の裏面に接着構造を形成し、表面に接着力抑制層１５を形成した状態の封緘シール用材料（図１の封緘シール１１において、記録層１６を形成していない状態の材料）を製造し、それを使用場所（例えば、空港など）に供給する。使用場所では、この封緘シール用材料にプリンタによって可変情報を記録し、記録層１６を形成し、図１の封緘シール１１を作成する。そして、その封緘シール１１を、搭乗者の荷物などの封緘対象物に貼り付ける。もし、誰かが封緘シール１１は剥がそうとすると、図３（ａ）に示すように、封緘シール１１を急激に屈曲しながら剥がれて行くこととなり、その屈曲によって記録層１６が剥離し、脱落してしまう。このため、剥がした封緘シール１１を再度貼り付けたとしても、その封緘シール１１の表面の記録層１６の文字や模様などが乱れた状態となっている。かくして、開封の有無を容易に判断できる。なお、使用後は封緘シール１１を封緘対象物から剥がして廃棄する。この際、従来の封緘シールのように、転写層が封緘対象物に接着したまま残るということがないため、封緘対象物を汚損することがない。このように、この封緘シール１１を用いることで、開封の有無を容易に判断できると共に封緘対象物を汚損することがないという効果が得られる。
【００２３】
以上に本発明の封緘シールの基本的な実施形態を説明したが、本発明の封緘シールには種々な変形を加えることができる。図４は第二の実施形態に係る封緘シール１１Ａを示すものである。この封緘シール１１Ａは、接着力抑制層１５の上に形成した記録層１６を覆うように、透明フィルムカバー２２を配し、記録層１６の剥離させたい文字部分などにかからない位置で接着剤２３により接着力抑制層１５に貼り付けた構造としている。このように透明フィルムカバー２２を設けておくと、この封緘シール１１Ａを貼り付けている封緘対象物をカーゴルームに投げ込んだ際などに封緘シール１１Ａの表面が擦られたとしても、記録層１６が直接擦られるということがなく、このため、記録層１６が削り取られるということがなく、安心して使用できるという利点が得られる。
【００２４】
図５は第三の実施形態に係る封緘シール１１Ｂを示すものである。この封緘シール１１Ｂは、基材１２の表面に形成する接着力抑制層１５Ｂを、例えば「ＶＯＩＤ」という文字状などのパターン状に形成し、そのパターン状の接着力抑制層１５Ｂを隠蔽するように、その接着力抑制層１５Ｂを含む広い領域にベタ状又は地紋状に記録層１６Ｂを形成したものである。この構成の封緘シール１１Ｂでは、剥がした時にパターン状の接着力抑制層１５Ｂの上に位置する記録層１６Ｂのみが脱落し、これによって接着力抑制層１５Ｂのパターン（例えば「ＶＯＩＤ」という文字）が浮きでることとなり、開封の痕跡を残すことができる。
【００２５】
図６は第四の実施形態に係る封緘シール１１Ｃを示すものである。この封緘シール１１Ｃは、基材１２の表面の両端部分に接着力抑制層１５Ｃを形成し、その上に記録層１６Ｃを形成し、また、基材１２の接着力抑制層１５Ｃを形成していない領域に、所望の情報を印字又は印刷した恒久記録層２５を形成している。この封緘シール１１Ｃでは、基材１２上に重要情報を脱落しない恒久記録層２５として記録しておくことが可能となる。
【産業上の利用可能性】
【００２６】
本発明の封緘シールは、上記したように、空港での搭乗者の荷物に貼って使用するのに好適であるが、これに限らず、従来の封緘シールと同様に、お菓子などの開封部に貼ったり、パソコンソフトのパッケージに貼って改ざん防止を図る用途にも使用可能であり、その他、開封の痕跡を残す必要がある任意の用途に使用可能である。
【図面の簡単な説明】
【００２７】
【図１】（ａ）、（ｂ）は本発明の実施の形態に係る封緘シールの概略平面図及び概略断面図
【図２】（ａ）、（ｂ）は封緘シールを剥がすことによって記録層が剥離する現象を説明する概略断面図
【図３】（ａ）、（ｂ）は封緘対象物に貼った封緘シールを剥がす際の屈曲の大きさを説明する概略断面図
【図４】（ａ）、（ｂ）は本発明の他の実施の形態に係る封緘シールの概略平面図及び概略断面図
【図５】（ａ）、（ｂ）は本発明の更に他の実施の形態に係る封緘シールの概略平面図及び概略断面図、（ｃ）は基板上に形成した接着力抑制層のパターンを示す概略平面図
【図６】（ａ）、（ｂ）は本発明の更に他の実施の形態に係る封緘シールの概略平面図及び概略断面図
【図７】（ａ）、（ｂ）は従来の封緘シールの概略平面図及び概略断面図
【図８】（ａ）は従来の封緘シールを封緘対象物に貼った状態を示す概略断面図、（ｂ）はその封緘シールを剥がす状態を示す概略断面図、（ｃ）は封緘シールを剥がした後の封緘対象物の表面を示す概略平面図
【符号の説明】
【００２８】
１１、１１Ａ、１１Ｂ、１１Ｃ  封緘シール
１２  基材
１３  粘着剤層
１４  剥離シート
１５、１５Ｂ、１５Ｃ  接着力抑制層
１６、１６Ｃ  記録層
２０  封緘対象物
２２  透明フィルムカバー
２３  接着剤
２５  恒久記録層
【図１】
2005148325.tif 000003
【図２】
2005148325.tif 000004
【図３】
2005148325.tif 000005
【図４】
2005148325.tif 000006
【図５】
2005148325.tif 000007
【図６】
2005148325.tif 000008
【図７】
2005148325.tif 000009
【図８】
2005148325.tif 000010